(57)【要約】【課題】映像を視聴できるＡＴＭを利用し、利用者が映像広告を視聴することにより、広告主の広告料をＡＴＭ利用者に還元してＡＴＭ利用料を低減するＡＴＭ利用料低減システムを提供することを課題とする。【解決手段】ＡＴＭ利用時に、金融取引サーバ２、映像広告視聴処理サーバ６および映像広告コンテンツデータベース５を用いることにより、映像広告を表示し、視聴情報管理サーバ７、顧客情報データベース３及び視聴履歴データベース８を用いることにより、広告主端末９で利用者の広告視聴確認を各広告主に提供し、利用者還元処理サーバ４で各利用者還元金額を計算して顧客情報データベース３に反映させることにより、利用者へ広告料を還元することを特徴とする。【選択図】図１
2007183814.tif 000002
【特許請求の範囲】
【請求項１】
ＡＴＭ利用時にＡＴＭに広告を表示し、その利用者の視聴実績に応じて広告料を利用者に還元してＡＴＭ利用料を低減するＡＴＭ利用料低減システムであって、
広告を表示するＡＴＭと、
前記ＡＴＭからの映像広告視聴要求に応じて映像広告情報を取得し、前記ＡＴＭに送信する金融取引サーバと、
利用者の口座情報を格納する顧客情報データベースと、
前記利用者の視聴実績に応じて還元すべき広告料を計算し、前記顧客情報データベースに反映させる利用者還元処理サーバと、
前記金融取引サーバからの視聴要求に応じて、映像広告情報を送信する映像広告視聴サーバと、
映像広告情報を格納する映像広告コンテンツデータベースと、
ＡＴＭ利用者の映像広告視聴情報を格納する視聴履歴データベースと、
映像広告視聴サーバからの視聴完了要求により、前記視聴履歴データベースに映像広告視聴情報を記録し、広告主の負担すべき広告料を計算する視聴情報管理サーバと、
前記視聴情報管理サーバから前記広告料を受信して表示する広告主端末と
を具備する
ことを特徴とするＡＴＭ利用料低減システム。
【発明の詳細な説明】
【技術分野】
【０００１】
本発明は、映像視聴機能を有するＡＴＭ(Automatic  Teller  Machine：現金自動預入払出機)を利用し、利用者の映像広告視聴により、広告出稿費をＡＴＭ利用者に還元して利用者の負担を低減するＡＴＭ利用料低減システムに関する。
【背景技術】
【０００２】
近年、金融ビッグバンの影響で、各々の金融機関が提供するサービスは多様化してきた。相次ぐ大手金融機関の合併、ネットバンキングの登場と金融業界の動きは活発であり、利用者の利便性が向上するサービスも現れてきた。しかし、ＡＴＭを利用した際の手数料は利用者が負担しているのが現状であり、取扱い金額が小額の場合、取扱い金額における利用手数料の割合は非常に高い。
利用者の利用手数料の負担を軽減するために、例えば、特許文献１では、ネットワークを介して銀行のサーバと接続されたＡＴＭを利用して、銀行と取引処理をする利用者にポイントの付与を行うための銀行利用者へのポイント付与システムが開示されている。  
【０００３】
【特許文献１】特開２００５−１０８１３０号公報
【発明の開示】
【発明が解決しようとする課題】
【０００４】
しかしながら、特許文献１に記載の技術は、利用者毎のポイント管理のための新たなシステムを構築する必要があり、構築費用及び運営費用はすべて銀行側の負担となり費用対効果の点で問題がある。
一方、不特定多数に放送され、映像視聴確認、視聴者特定が不可能なテレビ広告に対し、広告主は年間約２兆円の映像広告出稿費を支払っているという現実がある。ところが、現在のテレビ局映像広告サービスでは、視聴者が映像広告を視聴したか否かの確認が不可能であり、視聴広告効果の確認が不可能なため、不正確な視聴率で広告効果を判断せざるを得ず、さらに、視聴者の個人情報が把握できないという問題点がある。
【０００５】
上記問題点に鑑み、本発明は、映像を視聴できるＡＴＭを利用し、利用者が映像広告を視聴することにより、広告主の広告出稿費をＡＴＭ利用者に還元してＡＴＭ利用料を低減するＡＴＭ利用料低減システムを提供することを課題とする。
【課題を解決するための手段】
【０００６】
上記課題を解決するために、本発明は、以下の特徴を有する。
本発明は、ＡＴＭ利用時にＡＴＭに広告を表示し、その利用者の視聴実績に応じて広告料を利用者に還元してＡＴＭ利用料を低減するＡＴＭ利用料低減システムであって、広告を表示するＡＴＭと、前記ＡＴＭからの映像広告視聴要求に応じて映像広告情報を取得し、前記ＡＴＭに送信する金融取引サーバと、利用者の口座情報を格納する顧客情報データベースと、前記利用者の視聴実績に応じて還元すべき広告料を計算し、前記顧客情報データベースに反映させる利用者還元処理サーバと、前記金融取引サーバからの視聴要求に応じて、映像広告情報を送信する映像広告視聴サーバと、映像広告情報を格納する映像広告コンテンツデータベースと、ＡＴＭ利用者の映像広告視聴情報を格納する視聴履歴データベースと、映像広告視聴サーバからの視聴完了要求により、前記視聴履歴データベースに映像広告視聴情報を記録し、広告主の負担すべき広告料を計算する視聴情報管理サーバと、  前記視聴情報管理サーバから前記広告料を受信して表示する広告主端末とを具備することを特徴とするＡＴＭ利用料低減システムである。
【発明の効果】
【０００７】
本発明により、広告主の広告出稿費を原資として、ＡＴＭ利用者に映像広告視聴実績に応じて広告出稿費を還元することができるため、ＡＴＭ利用料を低減してＡＴＭ利用を促進させるＡＴＭ利用料低減システムを提供することができる。
【発明を実施するための最良の形態】
【０００８】
以下に、本発明を実施するための最良の形態を図面に基づいて説明する。
【０００９】
図１は、本発明の実施形態の一例を示すシステム構成図である。本発明のシステムは、ＡＴＭ１ａ、１ｂ、１ｃ、１ｄ、、、１ｎ、金融取引サーバ２、顧客情報データベース３、利用者還元処理サーバ４、映像広告コンテンツデータベース５、映像広告視聴処理サーバ６、視聴情報管理サーバ７、視聴履歴データベース８及び広告主端末９から構成される。
【００１０】
利用者は、ＡＴＭ１ｎで引き出し、預け入れ、振込などの各種取引を行う。ＡＴＭ１ｎで取引を実施中、中央交信のタイミングで金融取引サーバ２に対して当該ＡＴＭ１ｎから映像広告視聴要求が送信され、金融取引サーバ２から受信した映像広告情報がＡＴＭ１ｎの操作画面に表示される。視聴完了後、金融取引サーバ２に対して当該ＡＴＭ１ｎから視聴完了要求を送信することにより、映像広告配信業者の視聴履歴データベース８に利用者の視聴履歴の記録を行う。
【００１１】
金融取引サーバ２は、ＡＴＭ１ｎからの要求に対して応答する機能を備えている。ＡＴＭ１ｎからの映像広告視聴要求を受け、映像広告視聴処理サーバ６に対し映像広告視聴要求を送信し、受信した映像広告情報をＡＴＭ１ｎに送信する。ＡＴＭ１ｎから視聴完了要求を受信した場合は、映像広告視聴処理サーバ６に対して視聴完了要求を送信する。
映像広告視聴処理サーバ６は、金融取引サーバ２からの要求に対して応答する機能を備えている。金融取引サーバ２からの映像広告視聴要求を受け、映像広告コンテンツデータベース５から映像広告情報を取得し、金融取引サーバ２に送信する。金融取引サーバ２から視聴完了要求を受信した場合は、視聴情報管理サーバ７に対して視聴完了要求を送信する。
【００１２】
視聴情報管理サーバ７は映像広告視聴処理サーバ６からの視聴完了要求を受け、利用者の映像広告視聴情報を視聴履歴データベース８に記録する。広告主端末9から広告主負担金額表示要求を受けた場合は、顧客情報データベース3及び視聴履歴データベース8を元に各広告主負担金額を計算し、広告主端末9に計算結果を送信する。
広告主は、広告主端末9を使用することにより、視聴情報管理サーバ7から受信した負担金額を表示確認することができる。
利用者還元処理サーバ４は、日付を監視する機能を持っており、本日日付が還元時期の場合は、視聴履歴データベース８及び顧客情報データベース３を元に各ＡＴＭ利用者の還元金額を計算し、顧客情報データベース３の各顧客の残高に還元金額を反映する。
【００１３】
図２は、ＡＴＭにおける取引の開始から終了までを示すフローチャートである。
利用者が取引を開始すると、入力処理（２０１）でカード、通帳などの媒体挿入および画面上での入力操作を行う。入力操作後に行われる中央交信で金融取引サーバ２に対し映像広告視聴要求を送信（２０２）し、映像広告情報受信待ちの状態（２０３）に遷移する。
金融取引サーバ２はＡＴＭ１ｎからの映像広告視聴要求を受信（２０８）すると、映像広告視聴処理サーバ６に対し映像広告視聴要求を送信し、映像広告情報受信待ちの状態（２０９）に遷移する。
【００１４】
映像広告視聴処理サーバ６は要求受付（２１３）で映像広告視聴要求を受信すると、映像広告検索（２１４）にて映像広告コンテンツデータベース５の映像広告コンテンツ検索を行い、映像広告情報を取得する。映像広告情報送信（２１５）では映像広告コンテンツデータベース５から取得した映像広告情報を金融取引サーバ２に送信する。
受信処理（２１０）では、映像広告視聴処理サーバ６から映像広告情報を受信し、映像広告情報送信（２１１）によりＡＴＭ１ｎに送信する。
【００１５】
ＡＴＭ１ｎの受信処理（２０４）で金融取引サーバ２から映像広告情報を受信し、映像広告表示（２０５）で映像広告をＡＴＭ１ｎの操作画面に表示する。
映像広告の視聴完了後、視聴完了処理（２０６）により金融取引サーバ２に視聴完了要求を送信し、出力処理（２０７）でカードや通帳などの媒体を排出して取引を終了する。
金融取引サーバ２はＡＴＭ１ｎからの視聴完了要求を受信すると映像広告視聴処理サーバ６に対して視聴完了要求を送信（２１２）する。
映像広告視聴処理サーバ６は視聴完了要求を受信すると視聴完了要求（２１６）で視聴情報管理サーバ６に対して視聴完了要求を送信する。
【００１６】
視聴情報管理サーバ６は、要求受付（２１７）で視聴完了要求を受信後、視聴情報更新（２１８）でＡＴＭ利用者の映像広告視聴情報を視聴履歴データベース８に記録する。ここで記録された視聴履歴は、各映像広告主負担額の計算、および利用者への還元額を計算する際に使用する。
このようにして、利用者はＡＴＭ利用時に広告を視聴することができ、利用者の視聴履歴を保存することができる。
【００１７】
図３は、広告主の負担金額表示処理の概要を示すフローチャートである。
広告主の負担金の入力処理では日付など検索条件の指定が可能であり、表示内容の絞り込みが可能である（３０１）。広告主端末９の入力完了を契機として負担金額表示要求（３０２）を視聴情報管理サーバ７に送信する。
視聴情報管理サーバ７は要求受付（３０７）で広告主端末９から送信された検索条件を受信し、顧客情報データベース３および視聴履歴データベース８を元に各広告主の負担金額を計算する（３０８）。負担金額送信（３０９）で広告主端末９に負担金額を送信し、受信処理（３０４）で受信する。
【００１８】
受信した負担金額は負担金額表示（３０５）で広告主端末９に表示する。
出力処理（３０６）では広告主端末９に表示した負担金額を明細書として紙媒体に出力する。
このようにして、広告主は、広告の視聴実績に基づく負担金額を迅速に知ることができる。
【００１９】
図４は、利用者還元処理の概要を示すフローチャートである。
利用者還元処理サーバ４は日付を監視する機能を持っており、本日日付が還元時期かどうかを判定する（４０１）。還元時期であった場合は視聴情報管理サーバ７に対して利用者還元金額計算要求（４０２）を送信後、受信待ち状態（４０３）に遷移する。視聴情報管理サーバ７は利用者還元金額計算要求を受信（４０６）すると、各広告主負担金額計算（４０７）、顧客還元金額計算（４０８）を行い、利用者還元処理サーバ４に顧客還元金額を送信（４０９）する。利用者還元処理サーバ４は顧客還元金額を受信（４０４）し、顧客情報データベースに反映（４０５）することで、還元を実現する。
このようにして、利用者のＡＴＭ利用実績に応じて広告主が広告視聴に対して負担した負担金を利用者に還元することにより、ＡＴＭ利用を促進させることができる。
【図面の簡単な説明】
【００２０】
【図１】本発明の実施形態の一例を示すシステム構成図である。
【図２】ＡＴＭにおける取引の開始から終了までを示すフローチャートである。
【図３】広告主の負担金額表示処理の概要を示すフローチャートである。
【図４】利用者還元処理の概要を示すフローチャートである。
【符号の説明】
【００２１】
１ａ、１ｂ、１ｃ、１ｄ、１ｎ  ＡＴＭ
２  金融取引サーバ
３  顧客情報データベース
４  利用者還元処理サーバ
５  映像広告コンテンツデータベース
６  映像広告視聴処理サーバ
７  視聴情報管理サーバ
８  視聴履歴データベース
９  広告主端末
【図１】
2007183814.tif 000003
【図２】
2007183814.tif 000004
【図３】
2007183814.tif 000005
【図４】
2007183814.tif 000006